(57)【要約】      （修正有）【課題】眼内挿入用レンズの挿入器具において、前記挿入筒の先端部に眼内挿入用レンズの支持部の姿勢を制御することが可能な長さの姿勢制御部を設け、支持部により眼内の損傷を回避するようにした。【解決手段】  変形可能な眼内挿入用レンズ１を小さい形状に変形させて挿入筒１７内腔を通して眼内に挿入する眼内挿入用レンズの挿入器具において、前記挿入筒１７の先端部１７ａに、少なくとも眼内挿入用レンズ１の光学部２に連結された前方に位置する一方の前側支持部の基部が挿入筒先端部の円筒端部に到達するまでの間、前記眼内挿入用レンズ１の支持部の姿勢を制御することが可能な長さの姿勢制御部３０を設け、実施例においては前記姿勢制御部３０は前記挿入筒の先端部に延設した一体形成の半割筒形状とした。【選択図】図８
2005110924.tif 000002
【特許請求の範囲】
【請求項１】
変形可能な眼内挿入用レンズを小さい形状に変形させて挿入筒を通して眼内に挿入する眼内挿入用レンズの挿入器具において、前記挿入筒の先端部に、少なくとも眼内挿入用レンズの光学部に連結された前方に位置する一方の支持部の基部が挿入筒先端部の開口端部に到達するまでの間、前記眼内挿入用レンズの支持部の姿勢を制御することが可能な長さの姿勢制御部を設けたことを特徴とする眼内挿入用レンズの挿入器具。
【請求項２】
前記姿勢制御部は前記挿入筒の先端部に延設した一体形成の半割筒形状であることを特徴とする請求項１記載の眼内挿入用レンズの挿入器具。
【請求項３】
前記姿勢制御部は一端部を前記挿入筒の先端部の外周に固定し、且つ他端部を前記挿入筒の先端開口端より前方に延出した別体構成の半割筒形状であることを特徴とする請求項１記載の眼内挿入用レンズの挿入器具
【請求項４】
前記挿入筒の内面に形成した挿入筒の基端部より開口端部に至る眼内挿入用レンズの案内部及び前記挿入筒の先端部に開口端部より挿入筒基端部側に向けた軸方向に形成したスリットの少なくともいずれか一方が設けられている請求項１〜請求項３のいずれか１つに記載の眼内挿入用レンズの挿入器具。
【請求項５】
前記姿勢制御部は、前記半割筒形状の開口側縁部に前記案内部と連続する眼内挿入用レンズの光学部に連結された前方に位置する一方の支持部の姿勢を規制する案内部を設けたことを特徴とする請求項４に記載の眼内挿入用レンズの挿入器具。
【発明の詳細な説明】
【技術分野】
【０００１】
この発明は、白内障で水晶体を摘出した後に、水晶体の代わりに挿入される変形可能な眼内挿入用レンズや、視力補正のみを目的として眼内に挿入される変形可能な視力補正用レンズ等の変形可能な眼内挿入用レンズを眼内に挿入するための挿入器具に関するものである。
【背景技術】
【０００２】
１９４９年リドレイ(Ｒｉｄｌｅｙ)が白内障手術の際に白濁した水晶体の代わりに人工の水晶体、即ち眼内挿入用レンズを初めて人眼に移植して以来、白内障の治療として眼内挿入用レンズを移植することは広く行われてきた。
特開昭５８−１４６３４６号公報に示されているように、眼球に作製した小さな切開創を通して挿入可能な、少なくとも光学部が所定の記憶特性を有する変形可能な弾性体等を用いた眼内挿入用レンズや、少なくとも光学部が所定の記憶特性を有する弾性体等を用いて光学部を眼内で支える異種部材からなる支持部を有する変形可能な眼内挿入用レンズが発明された。
【０００３】
本願出願人が特開平４一２１２３５０号等において、変形可能な眼内挿入用レンズの光学部を圧縮したり、巻いたり、折曲げたり、伸ばしたり、折畳んだりして変形させることで、変形前の大きな形状から小さな形状に変形させ、眼球に作製した小さな切開創を通して当該眼内挿入用レンズを眼内に移植する挿入器具の発明を開示した。この挿入器具の発明によって、眼内挿入用レンズの移植手術も的確且つ簡素化した。
即ち、図１に示すように変形可能な眼内挿入用レンズ１として、所定の記憶特性を有する変形可能な弾性体で形成した円形の光学部２の外周部に、光学部２と異種の可撓性材料で形成した１対の支持部３の基部３aを埋込み固着し、支持部３の線状の突出部３bを湾曲させ、２つの支持部３を対称形に配置したものが発明された。  
また、近年では図１と同様に所定の記憶特性を有する変形可能な弾性体で形成した円形の光学部の外周部に、光学部と同一の弾性体で一体形成した１対の支持部を配設し、支持部の線状の突出部を弯曲させ、２つの支持部を対称形に配置したもの（図示せず）のも開発されている。
【０００４】
図２は、従来の変形可能な眼内挿入用レンズ挿入器具の一部切欠き全体斜視図で、図３は前記挿入器具に使用される挿入筒の要部拡大斜視図、図４は挿入筒１７の挿入先端部１７ａの要部拡大斜視図、図５は図４のＡ−Ａ線断面図である。
図２において、１１は器具本体であり、１２は押出軸、１３はおねじ筒、１４は押出し機構である。
１８は包持部材で、図３に拡大して示すようにヒンジ部１５を有するレンズ設置部１６を備え、レンズ設置部１６の先端側に挿入筒１７を突出させた構成となっている。さらに、前記挿入筒１７の内面には、眼内挿入用レンズ１に対する挿入筒１７中心軸周りの回動を規制するための案内部２４が形成されている。
さらに、前記挿入筒の先端部１７ａの一側部に、挿入筒１７の内外を連通する状態で軸方向に沿ってスリット１７ｂが形成されている。また、前記レンズ設置部１６は固定半割筒１９と可動半割筒２０との下縁部をヒンジ部１５によって連結し、固定，可動半割筒１９，２０上には固定，可動押え板２１，２２をそれぞれ突出させてある。
【０００５】
以上のような構成の従来例では、眼内挿入用レンズ１は包持部材１８のレンズ設置部１６に設置され、挿入器具本体に装填される時には小さく折畳まれるようになっている。
眼内挿入用レンズ１を包持部材１８のレンズ設置部１６に装填状態で、眼内挿入用レンズ挿入器具のおねじ筒１３をまわすと押出軸12がネジ送りされ、眼内挿入用レンズを眼内に挿入する工程が始まる。
押出軸１２の先端により、眼内挿入用レンズ１は、挿入筒１７の内面に設けた前記案内部２４の作用により、挿入筒１７中心軸周りの回転を規制されながら徐々に押出される。そして、挿入筒１７の先端部１７ａに到達した時点で、挿入筒先端部１７ａの軸方向に沿って形成したスリット１７ｂが徐々に開くことで、挿入筒１７の基端側１７ｃでは折畳まれている眼内挿入用レンズ１の光学部２の応力を挿入先端部１７ａで徐々に開放しながら眼内挿入用レンズ１を開口端１７ｄから眼内に挿入する。
また、スリット１７ｂは眼内挿入用レンズ１の光学部２を挟み込むように把持することによって、眼内への急激な飛出しを防止すると共に、眼内挿入用レンズ１に加えられた応力のみを開放し、スリット１７ｂの上下の各切断面で眼内挿入用レンズ１が表裏より把持されて挿入先端部１７ａに留められる。加えて、眼内挿入用レンズ１の挿入速度を押出軸１２の前進速度と対応させるように制御できる。
【特許文献１】特開昭５８−１４６３４６号公報
【特許文献２】特開平０４−２１２３５０号公報
【特許文献３】特開２００３−７０８２９号公報
【特許文献４】特開平０８−０３８５４２号公報
【発明の開示】
【発明が解決しようとする課題】
【０００６】
しかしながら、上述した従来の発明にあっては、挿入器具の操作時に眼内レンズを挿入筒内を通して挿入筒の先端開口部より押出す過程において、眼内挿入用レンズの光学部に連結され前方に位置する一方の前側支持部の基部が挿入筒先端部の円筒の開口端部に到達するまでの間、前記眼内挿入用レンズの前側支持部の姿勢を制御することがなされていなかった。従って、眼内挿入用レンズの眼内切開創への挿入に際して、図６（ａ）〜（ｈ）に示すように前側支持部３ｂを伸ばした状態での押出し操作においては、特に前側支持部３ｂの先端部３ｃが挿入筒先端部１７ａより押出される際に折畳まれた光学部２の展開開放に伴って旋回・揺動等の触れ動作を起こしてしまい、前側支持部３ｂによって眼内の組織を傷つけてしまう危険性があった。従来ではこのような危険を回避するために、挿入器具を回動或いは傾動させながら前側支持部３ｂの姿勢を制御する必要があり、施術操作に熟練が必要となる問題点があった。
【０００７】
また、前記危険性を回避するために図７に示すように前側支持部３ｂの先端部３ｃを光学部２側に弯曲させて短縮した状態に設置し、前側支持部３ｂと光学部２をほぼ同時に開放させることによって、前側支持部３ｂの旋回・揺動等の振れ動作を回避しなければならないという技術的に熟練度を要求されるという問題点があった。
【０００８】
本発明は、前述した問題点を解決しようとするもので、眼内挿入用レンズの挿入筒先端部に設けた前側支持部の姿勢制御部によって、前側支持部を伸ばした状態で押出される眼内挿入用レンズの前側支持部を、挿入筒の内径面内に位置させることで施術時に挿入器具を回動・傾動させて前側支持部の姿勢を制御する必要がなく、また、前側支持部の先端部を光学部側に弯曲させて設置しなければならないという特別な状態への設置操作を不要として施術における操作熟練度の負担を軽減可能とした眼内挿入用レンズの挿入器具を提供することを目的としている。
【課題を解決するための手段】
【０００９】
第１の発明は、変形可能な眼内挿入用レンズを小さい形状に変形させて挿入筒を通して眼内に挿入する眼内挿入用レンズの挿入器具において、前記挿入筒の先端部に、少なくとも眼内挿入用レンズの光学部に連結された前方に位置する一方の支持部の基部が挿入筒先端部の円筒端部に到達するまでの間、前記眼内挿入用レンズの支持部の姿勢を制御することが可能な長さの姿勢制御部を設けたことを特徴とする。
【００１０】
第２の発明は、請求項１記載の眼内挿入用レンズの挿入器具において、前記姿勢制御部は前記挿入筒の先端部に延設した一体形成の半割筒形状であることを特徴とする。
【００１１】
第３の発明は、請求項１記載の眼内挿入用レンズの挿入器具において、前記姿勢制御部は一端部を前記挿入筒の先端部の外周に固定し、且つ他端部を前記挿入筒の先端開口端より前方に延出した別体構成の半割筒形状であることを特徴とする。
【００１２】
第４の発明は、請求項１〜請求項３のいずれか１つに記載の眼内挿入用レンズの挿入器具前記挿入筒の内面に形成した挿入筒の基端部より開口端部に至る眼内挿入用レンズの案内部及び前記挿入筒の先端部に開口端部より挿入筒基端部側に向けた軸方向に形成したスリットの少なくともいずれか一方が設けられていることを特徴とする。
【００１３】
第５の発明は、請求項４に記載の眼内挿入用レンズの挿入器具において、前記姿勢制御部は、前記半割筒形状の開口側縁部に前記案内部と連続する眼内挿入用レンズの光学部に連結された前方に位置する一方の支持部の姿勢を規制する案内部を設けたことを特徴とする。
【発明の効果】
【００１４】
前記本発明の眼内挿入用レンズの挿入器具によれば、挿入器具の操作時に眼内レンズを挿入筒内を通して挿入筒の先端開口部より押出す過程において、眼内挿入用レンズの光学部に連結され前方に位置する一方の前側支持部の基部が挿入筒先端部の円筒端部に到達するまでの間、前記眼内挿入用レンズの前側支持部の姿勢を制御することができるので、眼内挿入用レンズの眼内切開創への挿入に際して、前側支持部を伸ばした状態での押出し操作において、前側支持部の先端部が挿入筒先端部より押出される際に折畳まれた光学部の展開開放に伴って旋回・揺動等の触れ動作を阻止することができるため、前側支持部によって眼内の組織を傷つけてしまう危険性を回避できると共に、前記危険性を回避するために、挿入器具を回動或いは傾動させながら前側支持部の姿勢を制御する必要がなくなり、施術操作が熟練度を要せずとも容易に且つ迅速に行なうことができる効果がある。
【００１５】
また、前記危険性を回避するための手段として、特に従前のように前側支持部の先端部を光学部側に弯曲させて短縮した状態に設置し、前側支持部と光学部をほぼ同時に開放させることによって、前側支持部の旋回・揺動等の振れ動作を回避しなければならないという技術的に熟練度を要求されるという点が改善できる。
【発明を実施するための最良の形態】
【００１６】
以下、本発明の眼内挿入用レンズの挿入器具に係る実施形態について説明する。
【実施例１】
【００１７】
図８は、本発明による眼内挿入用レンズの挿入器具本体の外観図、図９は図８の包持部材の拡大斜視図、図１０は図８の挿入先端部の要部拡大斜視図、図１１は図１０のＢ−Ｂ線断面図、図１２は使用状態における挿入先端部の要部拡大図で、(ａ)は平面図、(ｂ)は
側面図である。
本発明の第１実施例における基本的構成については、前述の従来の眼内挿入用レンズの挿入器具とほぼ同様な構成である。
【００１８】
即ち、本発明の眼内挿入用レンズの挿入器具１０は、ほぼ筒状の器具本体１１と、この器具本体１１に嵌めた押出軸１２と、器具本体１１の内周面に形成した雌ネジ（図示せず）にネジ嵌合させた雄ネジ筒１３がある押出機構１４と、ヒンジ部１５を有するレンズ設置部１６の先端側に挿入筒１７を突出させた包持部材１８とを備えている。器具本体１１の先端部上面には取付け溝１１ａが軸方向に沿って形成され、この溝から前記包持部材18が装填される。前記押出軸１２は雄ネジ筒１３と回動可能に連結し、器具本体１１に対し回動を拘束されるように機構が構成されている。
【００１９】
図９は、図８の挿入器具本体の先端部に装填する包持部材の拡大斜視図である。前記包持部材１８のレンズ設置部１６は、図１０に示すように、挿入筒１７の末端に固定半割筒１９を一体に設けると共に、固定半割筒１９と対向する可動半割筒２０を挿入筒１７の末端に近接させて開閉可能に設け、固定半割筒１９と可動半割筒２０との下縁部をヒンジ部１５によって連結し、固定，可動半割筒１９，２０上には固定，可動押え板２１，２２をそれぞれ突出させてある。
【００２０】
また、可動半割筒２０、ヒンジ部１５および可動押え板２２よって開閉機構を構成し、開閉機構を閉じることで、可動押え板２２が固定押え板２１に当接して、挿入筒１７と同軸の筒状になる。前記レンズ設置部１６に設置した眼内挿入用レンズ１を設定して前記可動押え板２２を閉じることで、前記眼内挿入用レンズは折畳まれ小さく変形される。
挿入筒１７は、基端側１７ｃでは可動半割筒１９，２０が当接した筒状部の内径と等径であり、先端部では先細形状の挿入先端部１７ａを有している。
なお、前述した構成は，前記従来例として示す特開平０８−０３８５４２号公報に記載されたものとほぼ同構成である。
【００２１】
本発明の第１実施例においては、前記眼内挿入用レンズ１の光学部２に連結された前方に位置する一方の支持部３ｂの基部３ａが挿入筒先端部１７ａの開口端部１７ｄに到達するまでの間、前記眼内挿入用レンズ１の支持部３ｂの姿勢を制御することが可能な長さの半割筒形状の姿勢制御部３０を前記挿入筒１７の挿入筒先端部１７ａに一体形成により延設した構造を有するもので、この点が本発明の特徴とする部分である。
【００２２】
図１２に示すように、前記姿勢制御３０は、光学部２に対する前側支持部３ｂの結合基部３ａが挿入筒先端部１７ａの開口端部１７ｄに到達するまでの間、眼内挿入用レンズ１の前側支持部３ｂの姿勢を制御するだけのの最低面積と長さ条件を満たすものであれば、その形状は任意であることは言うまでもない。
【００２３】
前記姿勢制御３０の形状の変形例としては、図１３（ａ）〜（ｆ）に示す形状が考えられる。
即ち、図１３の（ａ）示す姿勢制御部３０は、前記挿入筒１７の挿入筒先端部１７ａに一体形成により延設した上方開口の割筒形状の深度を深く形成したもので、前側支持部３ｂの先端部を完全に水平に保つことが可能である。
また、図１３図の（ｃ）に示す姿勢制御部３０は、異なった眼内挿入用のレンズの支持部に対応させるように、上方開口の割筒形状の対応する側縁の高さを異ならしめたものである。
また、図１３の（ｅ）に示す姿勢制御部３０は、異なった眼内挿入用のレンズの支持部に対応させるように、筒形状部を挿入筒先端の開口端部上方より筒形状部の先端に向けて下り傾斜となる傾斜面を有する上面開口を形成したものである。
【００２４】
また、本発明に適用される眼内挿入用レンズ１は、前述の図１に示すように、所定の記憶特性を有する変形可能な弾性体で形成した円形の光学部２の外周部に、光学部２と異種の可撓性材料で形成した１対の支持部３の基部３aを埋込み固着し、支持部３の線状の突出部３bを湾曲させ、２つの支持部３を対称形に配置したもの、或いは、図１と同様に所定の記憶特性を有する変形可能な弾性体で形成した円形の光学部の外周部に、光学部と同一の弾性体で一体形成した１対の支持部を配設し、支持部の線状の突出部を弯曲させ、２つの支持部を対称形に配置したものもの（図示しせず）に適用される。
【００２５】
以上のように構成された第１実施例の眼内挿入用の挿入器具においては、眼内挿入用レンズ１を眼内へ挿入する場合、まず包持部材１８を器具本体１１の取付け溝１１ａより取外し、包持部材１８の可動押え板２２および可動半割筒２０を開き、眼内挿入用レンズ１の１対の支持部３を前方の一側と後方の他側にそれぞれ位置させて光学部２をレンズ設置部１６のヒンジ部１５上方に適宜の隙間を設けて設置し、可動押え板２２および可動半割筒２０を閉じて固定押え板２１および固定半割筒１９に合わせ、半割筒１９，２０内に光学部２を２つ折り状に折畳んで小さな形状にし、前記包持部材１８を器具本体１１の取付溝１１ａに取付ける。
【００２６】
この保持状態で前記押出し機構１４の雄ネジ筒１３を回転させることで押出軸１２の先端部２３によって、、図１４の（ａ）〜（ｄ）に示すように、眼内挿入用レンズ１が、切開創内に挿入した挿入筒１７の挿入先端部１７ａに送り出される。    
【００２７】
そして、挿入筒１７内を押出される眼内挿入用レンズ１は、図１４（ａ）〜（ｄ）に示すように、挿入筒先端部１７ａの開口端部１７ｄ位置に達するまでに、前側支持部３ｂの先端部３ｃが前記開口端部１７ｄ開口より突出するが、挿入筒先端部１７ａに形成した姿勢制御部３０により案内されて、支持部の先端部１３ｃは回動・揺動などの振れ動作が規制され、眼内挿入用レンズ１の外周端部が弾性復元力により旧形状に復元して突出するまで、支持部の姿勢が水平に保持されて、眼内挿入用レンズ１が挿入先端部１７ａの開口端部１７ｄより放出される。
従って、眼内挿入用レンズ１の挿入方向や挿入速度を安定的に制御することが可能である。
【００２８】
尚、第１実施例において、従来の形状の挿入筒先端部１７ａに前側支持部３ｂに対する姿勢制御部３０を一体形成したものについて説明したが、これに限定されることなく、前記姿勢制御部３０を別体構成で形成し、挿入筒先端部１７ａに溶着・接着或るいは一端部の嵌合によって固定するようにしても良いことは勿論である。
【実施例２】
【００２９】
次に、本発明の眼内挿入用レンズの挿入器具に係る第２実施例について説明する。
この第２実施例は、上述の第１実施例とほぼ同様構成であり、同一部分には同一符号を付してその説明を省略し、相違する点について重点に説明する。
【００３０】
図１５は包持部材１８の拡大斜視図、図１６は包持部材１８の先端に構成した挿入筒先端部１７ａの拡大斜視図であり、図１７は図１６のＤ−Ｄ線断面図、図１８の(ａ)，(ｂ)は挿入筒先端部１７ａ内に眼内挿入用レンズを挿入した状態の拡大平面図及び拡大側面図を示している。
【００３１】
本発明の第２実施例においては、前記挿入筒１７の挿入先端部１７ａにスリット１７ｂを、また、挿入筒１７の内面に眼内挿入用レンズ１の移動時における回動を規制する案内部２４を設けた眼内挿入用レンズの挿入器具を示しており、その他は前述の第１実施例と同様な構成である。
【００３２】
従って、前記構成の第２実施例によれば、眼内挿入用レンズ１を眼内へ挿入する際には、まず包持部材１８を器具本体１１の取付け溝１１ａより取外し、包持部材１８の可動押え板２２および可動半割筒２０を開き、眼内挿入用レンズ１の１対の支持部３を前方の一側と後方の他側にそれぞれ位置させて光学部２をレンズ設置部１６のヒンジ部１５上方に適宜の隙間を設けて設置し、可動押え板２２および可動半割筒２０を閉じて固定押え板２１および固定半割筒１９に合わせ、半割筒１９，２０内に光学部２を２つ折り状に折畳んで小さな形状にし、前記包持部材１８を器具本体１１の取付溝１１ａに取付ける。
【００３３】
この保持状態で前記押出し機構１４の雄ネジ筒１３を回転させることで押出軸１２の先端部２３によって、眼内挿入用レンズ１が、切開創内に挿入した挿入筒１７の挿入先端部１７ａに送り出される。その際、眼内挿入用レンズ1は、挿入筒１７の内面に設けた案内部２４により挿入筒１７中心軸周りの回動が規制されながら、挿入筒１７の挿入先端部１７ａに送り出される。  
【００３４】
そして、図１９の（ａ）〜（ｆ）に示すように挿入筒１７内で中心軸周り回動を規制された状態で押出される眼内挿入用レンズ１は、挿入先端部１７ａに形成したスリット１７ｂの位置に達すると、眼内挿入用レンズ１の外周端部が弾性復元力によりスリット１７ｂより突出し、眼内挿入用レンズ１の形状を復元しながら前記スリット１７ｂと挿入先端部１７ａの開口端部１７ｄより放出される。
従って、眼内挿入用レンズ１がスリット１７ｂに挟持される時点では、形状を原型に近い状態に復元可能となり、眼内挿入用レンズの挿入方向や挿入速度を安定的に制御することが可能である。
【実施例３】
【００３５】
次に、本発明の第３実施例について説明する。
この第３実施例にあっても、前記第２実施例と同様に、挿入筒１７の挿入筒先端部１７ａにスリット１７ｂを、また、挿入筒１７の内面に設けた案内部２４を有する眼内挿入用レンズの挿入器具であって、相違する点は、図２０の（ａ），（ｂ）に示すように、前記案内部２４が、挿入筒１７の挿入筒先端部１７ａにおいて、眼内挿入用レンズ１の光学部２の折畳み中心Ｙに対して前側支持部３ｂが固着されている光学部２辺縁の姿勢を制御し、対側の挿入筒先端部１７ａに光学部２辺縁を展開開放するためのスリット１７ｂを形成したもので、前記姿勢制御部３０の半割筒形状の開口側縁部に前記案内部２４と連続する眼内挿入用レンズ１の光学部２に連結された前方に位置する一方の支持部３ｂの姿勢を規制する案内部２５を設けたものであって、図２１の（ａ）〜（ｆ）に示す動作により前側支持部３ｂの振れ動作を完全に阻止できる構成となっている。
前記以外の構成及び作用効果は、上述の第２実施例と同様なので、その説明を省略する。
【実施例４】
【００３６】
次に、本発明の第４実施例について説明する。
図２２はこの第４実施例であって、前記第２実施例と同様に、挿入筒１７の挿入筒先端部１７ａにスリット１７ｂを、また、挿入筒１７の内面に設けた案内部２４を有する眼内挿入用レンズの挿入器具であって、相違する点は、前記挿入筒１７の挿入筒先端部１７ａに設けた姿勢制御部４０を、別体構成により形成し、挿入筒先端部１７ａの外周面に一端４１を取り付け、他端４２を挿入筒の開口端部１７ｄより前方に位置させた半割筒形状の保持部４３を配設したもので、上述の実施例と同様な効果を発揮できるものである。
【図面の簡単な説明】
【００３７】
【図１】変形可能な眼内挿入用レンズ一例を示す平面図。
【図２】従来の眼内挿入用レンズの挿入器具を示す外観図。
【図３】図２の包持部材の拡大斜視図。
【図４】図３の挿入先端部の要部拡大斜視図。
【図５】図４のＡ−Ａ線断面図。
【図６】（ａ）〜（ｈ）は従来の眼内挿入用レンズの挿入器具の動作説明図を示す側面図及び正面図。
【図７】（ａ），（ｂ）は従来の眼内挿入用レンズの挿入器具における前側支持部の先端部を光学部側に弯曲させて設置した状態を示す平面図及び側面図。
【図８】本発明による眼内挿入用レンズの挿入器具の第1実施形態示す外観斜視図。
【図９】図８の包持部材の拡大斜視図。
【図１０】図９の挿入先端部の要部拡大斜視図。
【図１１】図１０のＢ−Ｂ線断面図。
【図１２】（ａ），（ｂ）は本発明による第１実施例の動作を示す挿入筒先端部の拡大側面図及び拡大正面図。
【図１３】（ａ）〜（ｆ）は本発明による第１実施例における姿勢制御部の変形例を示すそれぞれの挿入筒先端部の拡大側面図及び拡大正面図。
【図１４】（ａ）〜（ｄ）は本発明の第１実施例における眼内挿入用レンズの移動動作説明図。
【図１５】本発明による眼内挿入用レンズの挿入器具の第２実施形態示す包持部材の拡大斜視図。
【図１６】図１５の挿入先端部の要部拡大斜視図。
【図１７】図１６のＣ−Ｃ線断面図。
【図１８】（ａ），（ｂ）は本発明による第２実施例の動作を示す挿入筒先端部の拡大側面図及び拡大正面図。
【図１９】（ａ）〜（ｆ）は本発明による第２実施例の動作を示す挿入筒先端部の拡大側面図及び拡大正面図。
【図２０】（ａ），（ｂ）は、本発明による眼内挿入用レンズの挿入器具の第３実施形態示す姿勢制御部の変形例を示す拡大側面図及び正面図。
【図２１】（ａ）〜（ｆ）は、本発明による第３実施例の動作を示す挿入筒先端部の拡大側面図及び拡大正面図。
【図２２】本発明による眼内挿入用レンズの挿入器具の第４実施例示す姿勢制御部の変形例を示す拡大斜視図。
【符号の説明】
【００３８】
１        変形可能な眼内挿入用レンズ
２        光学部
３        支持部
１１      器具本体
１２      押出軸
１３      おねじ筒
１４      押出機構
１５      ヒンジ部
１６      レンズ設置部
１７      挿入筒
１７ａ    挿入筒先端部
１７ｂ    スリット
１７ｃ    基端部
１７ｄ    開口端部
１８      包持部材
２１      可動押え板
２２      可動押え板
２４      案内部
３ｃ      前方支持部の先端部
３０，４０      姿勢制御部
【図１】
2005110924.tif 000003
【図２】
2005110924.tif 000004
【図３】
2005110924.tif 000005
【図４】
2005110924.tif 000006
【図５】
2005110924.tif 000007
【図６】
2005110924.tif 000008
【図７】
2005110924.tif 000009
【図８】
2005110924.tif 000010
【図９】
2005110924.tif 000011
【図１０】
2005110924.tif 000012
【図１１】
2005110924.tif 000013
【図１２】
2005110924.tif 000014
【図１３】
2005110924.tif 000015
【図１４】
2005110924.tif 000016
【図１５】
2005110924.tif 000017
【図１６】
2005110924.tif 000018
【図１７】
2005110924.tif 000019
【図１８】
2005110924.tif 000020
【図１９】
2005110924.tif 000021
【図２０】
2005110924.tif 000022
【図２１】
2005110924.tif 000023
【図２２】
2005110924.tif 000024